(57)【特許請求の範囲】
【請求項１】
カップの底部を載置するトレイと、カップの側面を支持する支持部材と、上記トレイと係脱可能にロックするリッドとを備え、トレイと支持部材とは、並行する収納位置と離間する展開位置とに回動できるように軸支され、リッドは、支持部材と同じ側でトレイに対して回動可能に軸支され、支持部材は、支持部材が上記収納位置に保持されている時には、支持部材と一緒にトレイ側に並行して折り畳まれ、支持部材が上記展開位置に保持されている時には、支持部材と交差してトレイに対して起立する回動可能なストッパーアームを有し、当該ストッパーアームを付勢手段を介して起立方向に付勢する一方、ストッパーアームのトレイに当接する部位と反対側に延長部を設けて、リッドをトレイにロックする時には、リッドで当該延長部を押圧して、ストッパーアームを上記付勢手段に抗して折り畳み方向へ回動させるように構成したことを特徴とするカップホルダー。
【請求項２】
カップの底部を載置するトレイと、カップの側面を支持する支持部材とを備え、トレイと支持部材とは、並行する収納位置と離間する展開位置とに回動できるように軸支され、支持部材は、トレイに軸支される基体部と、該基体部に上下方向へ回動可能に連結される腕部と、該腕部に揺動可能に連結される揺動片部とから成り、該揺動片部は、上記腕部に対して重合する状態に弾性付勢されて、揺動片部の重合した状態では、腕部が傾斜する基体部からトレイ面と平行する姿勢に回動し、揺動片部が弾性付勢力に抗して腕部から離間する方向に揺動した状態では、腕部が傾斜する基体部から連続して伸長する姿勢に回動するように構成したことを特徴とするカップホルダー。
【請求項３】
カップの底部を載置するトレイと、カップの側面を支持する支持部材と、上記トレイと係脱可能にロックするリッドとを備え、トレイと支持部材とは、並行する収納位置と離間する展開位置とに回動できるように軸支され、リッドは、支持部材と同じ側でトレイに対して回動可能に軸支され、支持部材は、トレイに軸支される基体部と、該基体部に上下方向へ回動可能に連結される腕部と、該腕部に揺動可能に連結される揺動片部とから成り、支持部材が展開位置に保持されている時には、揺動片部は、上記腕部に対して斜め上方に跳ね上がった状態に弾性付勢される一方、揺動片部の中央外周側に切欠部を形成して、支持部材が収納位置に保持される時には、上記揺動片部の切欠部内にリッドとトレイとをロックするロック手段を位置させるように構成したことを特徴とするカップホルダー。
【請求項４】
カップの底部を載置するトレイと、カップの側面を支持する支持部材とを備え、トレイと支持部材とは、並行する収納位置と離間する展開位置とに回動できるように軸支され、支持部材は、トレイに軸支される基体部と、該基体部に上下方向へ回動可能に連結される腕部と、該腕部に揺動可能に連結される揺動片部とから成り、支持部材が展開位置に保持されている時には、揺動片部は、上記腕部に対して斜め上方に跳ね上がった状態に弾性付勢されると共に、揺動片部の内周縁が湾曲状を呈し、且つ、その中央上面が下方に湾曲しているように構成したことを特徴とするカップホルダー。
【請求項５】
カップの底部を載置するトレイと、カップの側面を支持する支持部材とを備え、トレイと支持部材とは、並行する収納位置と離間する展開位置とに回動できるように軸支され、支持部材は、支持部材が上記収納位置に保持されている時には、支持部材と一緒にトレイ側に並行して折り畳まれ、支持部材が上記展開位置に保持されている時には、支持部材と交差してトレイに対して起立する回動可能なストッパーアームを有し、当該ストッパーアームを付勢手段を介して起立方向に付勢する一方、支持部材をトレイに対して展開位置方向へ付勢する付勢手段を設けて、支持部材が展開位置に保持されている時には、該付勢手段の付勢力で、ストッパーアームとトレイ面間に空隙を画成させると共に、ストッパーアームを折り畳み方向へ押圧する際には、支持部材はその付勢手段の付勢力で回動せず、ストッパーアームのみがその付勢手段に抗して回動できるように、ストッパーアームの付勢手段の付勢力を支持部材の付勢手段の付勢力よりも小さく設定するように構成したことを特徴とするカップホルダー。
【請求項６】
トレイと係脱可能にロックするリッドを、支持部材と同じ側でトレイに対して回動可能に軸支する一方、揺動片部の中央外周側に切欠部を形成して、支持部材が収納位置に保持される時には、上記揺動片部の切欠部内にリッドとトレイとをロックするロック手段を位置させることを特徴とする請求項２記載のカップホルダー。
【請求項７】
揺動片部の内周縁が湾曲状を呈し、且つ、その中央上面が下方に湾曲していることを特徴とする請求項２又は請求項６のいずれかに記載のカップホルダー。
【請求項８】
支持部材は、ストッパーアームの付勢手段による回動をトレイに対して直交する位置を若干越えた角度で停止させる規制手段を有することを特徴とする請求項１又は請求項５のいずれかに記載のカップホルダー。
【請求項９】
リッドを回動してトレイにロックする時には、当該リッド側が支持部材を収納位置方向へ押圧する以前にストッパーアームの延長部を押圧できるように、ストッパーアームの延長部をリッド側に突出させることを特徴とする請求項１記載のカップホルダー。
【請求項１０】
カップの底部を載置するトレイと、カップの側面を支持する支持部材と、上記トレイと係脱可能にロックするリッドとを備え、トレイと支持部材とリッドとは、互いに回動可能に軸支されて、支持部材は、トレイとリッド間に並行して収納される収納位置と、上記軸支部の反対側を斜め上方に跳ね上げた展開位置とに保持可能で、その跳ね上げ先端部分にカップの側面を支える第１支持部を有すると共に、該第１支持部と上記軸支部側に設けられた第２支持部との中間に、細長い腕状の第３支持部をカップ差し込み空間に面する状態をもって回動可能に軸支して、支持部材が上記収納位置に保持されている時には、第３支持部は支持部材の第１支持部方向に向かって折り畳まれ、支持部材が展開位置に回動する時には、第３支持部は付勢手段によって支持部材と交差する方向に回動し、支持部材が展開位置に完全に保持された時には、第３支持部はトレイに対して直交してトレイ面から遠ざかる方向に延びる状態にその回動位置が規制手段で規制され、支持部材が収納位置に回動する時には、第３支持部はリッドによって押圧されて上記の折り畳み状態に戻るように構成したことを特徴とするカップホルダー。
【発明の詳細な説明】
【０００１】
【発明の属する技術分野】
本発明は、自動車室内に設けられて、ドリンクカップや缶類を保持するカップホルダーの改良に関するものである。
【０００２】
【従来の技術】
従来のこの種カップホルダーとして、例えば、実開平１−７４９３５号公報に示すものが存する。
当該従来のカップホルダーは、具体的には図示しないが、自動車の室内側が開放された箱状のハウジングを備え、該ハウジングの下部にカップの底部を載置するトレイを回動可能に軸支すると共に、該トレイの基端部側にカップの側面を支持する逆Ｕ字状の支持部材を同じく回動可能に軸支して、当該支持部材をストッパーの規制を受けるまでトレイから離間する方向に弾性付勢する構成となっている。
【０００３】
依って、斯る従来のカップホルダーにあっては、上記ハウジングを自動車のインストルメントパネル側に画成された空所内に固設して、トレイを支持部材と一緒にハウジング内に収納すると、トレイがハウジング側にロックされるので、これにより、その不使用状態が得られる。
【０００４】
逆に、ハウジングに対するロックを解いて、トレイを支持部材と一緒に室内方向へ回動させると、トレイは水平状態に展開され、支持部材はその弾性付勢力でトレイから離間する方向に回動して、カップを支持する斜め上方へ跳ね上がった状態に展開されるので、後は、当該逆Ｕ字状を呈する支持部材内にカップを差し入れれば、支持部材による側面からの支持を得て、カップの底部がトレイ上に載置されるので、これにより、カップが支持される。
【０００５】
【発明が解決しようとする課題】
従来のカップホルダーのように、支持部材をトレイ側に回動可能に軸支して、斜め上方へ跳ね上がった支持部材でカップの側面を支持する構造の下では、カップの安定した支持を確保するためには、特に、支持部材がトレイ側に不用意に倒れ込むことを防止しなければならない訳であるが、従来のカップホルダーにあっては、支持部材の跳ね上がり角度を規制する手段を有するが、その倒れ込みを防止する手段を一切有していないので、これに起因して、自ずと、カップの安定した支持に欠ける嫌いがあった。
【０００６】
又、従来のカップホルダーにあっては、支持部材自体の大きさが予め決定されているので、径の異なるカップをも自在に支持する上では、融通性にも欠ける嫌いがあった。
【０００７】
【課題を解決するための手段】
本発明は、斯る従来のカップホルダーが抱える課題を有効に解決するために開発されたもので、請求項１記載の発明は、カップの底部を載置するトレイと、カップの側面を支持する支持部材と、上記トレイと係脱可能にロックするリッドとを備え、トレイと支持部材とは、並行する収納位置と離間する展開位置とに回動できるように軸支され、リッドは、支持部材と同じ側でトレイに対して回動可能に軸支され、支持部材は、支持部材が上記収納位置に保持されている時には、支持部材と一緒にトレイ側に並行して折り畳まれ、支持部材が上記展開位置に保持されている時には、支持部材と交差してトレイに対して起立する回動可能なストッパーアームを有し、当該ストッパーアームを付勢手段を介して起立方向に付勢する一方、ストッパーアームのトレイに当接する部位と反対側に延長部を設けて、リッドをトレイにロックする時には、リッドで当該延長部を押圧して、ストッパーアームを上記付勢手段に抗して折り畳み方向へ回動させる構成を採用した。
【０００８】
請求項２記載の発明は、カップの底部を載置するトレイと、カップの側面を支持する支持部材とを備え、トレイと支持部材とは、並行する収納位置と離間する展開位置とに回動できるように軸支され、支持部材は、トレイに軸支される基体部と、該基体部に上下方向へ回動可能に連結される腕部と、該腕部に揺動可能に連結される揺動片部とから成り、該揺動片部は、上記腕部に対して重合する状態に弾性付勢されて、揺動片部の重合した状態では、腕部が傾斜する基体部からトレイ面と平行する姿勢に回動し、揺動片部が弾性付勢力に抗して腕部から離間する方向に揺動した状態では、腕部が傾斜する基体部から連続して伸長する姿勢に回動する構成を採用した。
【０００９】
請求項３記載の発明は、カップの底部を載置するトレイと、カップの側面を支持する支持部材と、上記トレイと係脱可能にロックするリッドとを備え、トレイと支持部材とは、並行する収納位置と離間する展開位置とに回動できるように軸支され、リッドは、支持部材と同じ側でトレイに対して回動可能に軸支され、支持部材は、トレイに軸支される基体部と、該基体部に上下方向へ回動可能に連結される腕部と、該腕部に揺動可能に連結される揺動片部とから成り、支持部材が展開位置に保持されている時には、揺動片部は、上記腕部に対して斜め上方に跳ね上がった状態に弾性付勢される一方、揺動片部の中央外周側に切欠部を形成して、支持部材が収納位置に保持される時には、上記揺動片部の切欠部内にリッドとトレイとをロックするロック手段を位置させる構成を採用した。
【００１０】
請求項４記載の発明は、カップの底部を載置するトレイと、カップの側面を支持する支持部材とを備え、トレイと支持部材とは、並行する収納位置と離間する展開位置とに回動できるように軸支され、支持部材は、トレイに軸支される基体部と、該基体部に上下方向へ回動可能に連結される腕部と、該腕部に揺動可能に連結される揺動片部とから成り、支持部材が展開位置に保持されている時には、揺動片部は、上記腕部に対して斜め上方に跳ね上がった状態に弾性付勢されると共に、揺動片部の内周縁が湾曲状を呈し、且つ、その中央上面が下方に湾曲している構成を採用した。
【００１１】
請求項５記載の発明は、カップの底部を載置するトレイと、カップの側面を支持する支持部材とを備え、トレイと支持部材とは、並行する収納位置と離間する展開位置とに回動できるように軸支され、支持部材は、支持部材が上記収納位置に保持されている時には、支持部材と一緒にトレイ側に並行して折り畳まれ、支持部材が上記展開位置に保持されている時には、支持部材と交差してトレイに対して起立する回動可能なストッパーアームを有し、当該ストッパーアームを付勢手段を介して起立方向に付勢する一方、支持部材をトレイに対して展開位置方向へ付勢する付勢手段を設けて、支持部材が展開位置に保持されている時には、該付勢手段の付勢力で、ストッパーアームとトレイ面間に空隙を画成させると共に、ストッパーアームを折り畳み方向へ押圧する際には、支持部材はその付勢手段の付勢力で回動せず、ストッパーアームのみがその付勢手段に抗して回動できるように、ストッパーアームの付勢手段の付勢力を支持部材の付勢手段の付勢力よりも小さく設定する構成を採用した。
【００１２】
請求項６記載の発明は、請求項２を前提として、トレイと係脱可能にロックするリッドを、支持部材と同じ側でトレイに対して回動可能に軸支する一方、揺動片部の中央外周側に切欠部を形成して、支持部材が収納位置に保持される時には、上記揺動片部の切欠部内にリッドとトレイとをロックするロック手段を位置させる構成を採用した。
【００１３】
請求項７記載の発明は、請求項２又は請求項６を前提として、揺動片部の内周縁が湾曲状を呈し、且つ、その中央上面が下方に湾曲している構成を採用した。
【００１４】
請求項８記載の発明は、請求項１又は請求項５を前提として、支持部材は、ストッパーアームの付勢手段による回動をトレイに対して直交する位置を若干越えた角度で停止させる規制手段を有する構成を採用した。
【００１５】
請求項９記載の発明は、請求項１を前提として、リッドを回動してトレイにロックする時には、当該リッド側が支持部材を収納位置方向へ押圧する以前にストッパーアームの延長部を押圧できるように、ストッパーアームの延長部をリッド側に突出させる構成を採用した。
【００１６】
請求項１０記載の発明は、カップの底部を載置するトレイと、カップの側面を支持する支持部材と、上記トレイと係脱可能にロックするリッドとを備え、トレイと支持部材とリッドとは、互いに回動可能に軸支されて、支持部材は、トレイとリッド間に並行して収納される収納位置と、上記軸支部の反対側を斜め上方に跳ね上げた展開位置とに保持可能で、その跳ね上げ先端部分にカップの側面を支える第１支持部を有すると共に、該第１支持部と上記軸支部側に設けられた第２支持部との中間に、細長い腕状の第３支持部をカップ差し込み空間に面する状態をもって回動可能に軸支して、支持部材が上記収納位置に保持されている時には、第３支持部は支持部材の第１支持部方向に向かって折り畳まれ、支持部材が展開位置に回動する時には、第３支持部は付勢手段によって支持部材と交差する方向に回動し、支持部材が展開位置に完全に保持された時には、第３支持部はトレイに対して直交してトレイ面から遠ざかる方向に延びる状態にその回動位置が規制手段で規制され、支持部材が収納位置に回動する時には、第３支持部はリッドによって押圧されて上記の折り畳み状態に戻る構成を採用した。
【００１８】
依って、請求項１記載の発明によれば、支持部材が展開位置に保持された時には、ストッパーアームがその付勢手段の付勢力でトレイに対して直交する姿勢に起立して、支持部材のトレイ側への倒れ込みを有効に防止するので、常に、カップの安定した支持が保障できると共に、ストッパーアームの自動的な折り畳みが保障できる。請求項２記載の発明によれば、腕部と揺動片部の回動作用で、径の異なるカップをも安定して支持することが可能となる。請求項３記載の発明によれば、特に、小径なロングサイズのカップを支持する時には、その前倒れを有効に防止して、より確実な支持状態を保障できると共に、ロック手段を切欠部に位置させることにより、カップホルダー自体の小型化が期待できる。
【００１９】
請求項４記載の発明によれば、特に、小径なロングサイズのカップを支持する時には、その前倒れを有効に防止して、より確実な支持状態を保障できると共に、大径なカップを支持したり、当該カップを取り出す時に、カップの底部縁が揺動片部の内周縁側にひっかかることを有効に防止でき、且つ、揺動片部の揺動範囲を小さくして、その連結軸側の摩耗を抑えることができる。請求項５記載の発明によれば、支持部材が展開位置に保持された時には、ストッパーアームがその付勢手段の付勢力でトレイに対して直交する姿勢に起立して、支持部材のトレイ側への倒れ込みを有効に防止するので、常に、カップの安定した支持が保障できると共に、支持部材の倒れ込みを防止できる上に、ストッパーアームの折り畳みを容易にでき、且つ、支持部材の回動に先だって、ストッパーアームを回動できるので、これによっても、スムーズな操作が保障できる。
【００２０】
請求項６記載の発明によれば、ロック手段を切欠部に位置させることにより、カップホルダー自体の小型化が期待できる。請求項７記載の発明によれば、大径なカップを支持したり、当該カップを取り出す時に、カップの底部縁が揺動片部の内周縁側にひっかかることを有効に防止できると共に、揺動片部の揺動範囲を小さくして、その連結軸側の摩耗を抑えることができる。請求項８記載の発明によれば、支持部材にトレイ側へ倒れ込む大きな外力が加わっても、これに起因して、ストッパーアームが誤って折り畳まれることがないので、支持部材の倒れ込みをより一層確実に防止できる。請求項９記載の発明によれば、リッドの回動時に、ストッパーアームが先にトレイ側に強く押圧されて、リッドの円滑な回動を阻害する心配がない。
【００２１】
請求項１０記載の発明によれば、第３支持部の存在によって、第１・第２支持部の中間でもカップを高位置で支持でき、且つ、当該第３支持部をカップ差し込み空間の周縁に沿わせながらリッドによってスムーズに折り畳める。
【００２２】
【発明の実施の形態】
以下、本発明を図示する好適な実施の形態に基づいて詳述すれば、第一実施の形態に係るカップホルダーは、コイン等を収納できる小物入れ兼用のカップホルダーとして開発されたもので、その基本構造は、図１に示す如く、主として、上方が開放されて内部にコイン等の小物を入れるボックス本体１と、該ボックス本体１の開放口を開閉するリッド２と、ボックス本体１の上部内側に収められるトレイ３と、該トレイ３と共働してカップの側面を支持する支持部材４とを備えるものである。
【００２３】
そこで、まず、ボックス本体１とリッド２の関係から説明すると、両者１・２は、いずれも、合成樹脂で成形されて、ボックス本体１は、前面から後面に向かって高さが徐々に減少する平断面矩形状を呈し、リッド２は、当該ボックス本体１の開放口を閉塞できる大きさの矩形状を呈し、両者１・２の後部両側に対向して設けられている各対の軸受部５・６同士を１本の長尺なシャフト７を介して軸支することにより、リッド２をボックス本体１に対して開閉可能に支承するものである。
【００２４】
そして、ボックス本体１に関しては、その内側の軸受部５寄りに隔壁８を立設して、ボックス本体１の内部を、小物収納室９と後述するトレイ３の軸受部２１の回動を許容し且つトレイ３上に零れたドリンクを流し入れる液体回収室１０とに仕切り、且つ、小物収納室９の底部をコイン等の取り出しを容易とするためのテーパー形状を積極的に付与すると共に、両内側面にトレイ３の対応する側縁を受けとめる段部１１を形成する構成となしている。尚、図中、１２は浮き出しラッチ、１３はオイルダンパー、１４は上記シャフト７のオイルダンパー１３側に装着されてリッド２を常時開方向へ付勢する捩じりコイルばねである。
【００２５】
又、リッド２に関しては、その前面中央部に上記浮き出しラッチ１２と係脱する爪片１５と、後述するトレイ３の係止部２４と係脱する弾性ロック爪１６と、カップの側面を支える円弧状に膨出した背当て部１７とを上下方向に亘って一体に設ける一方、捩じりコイルばね１４が存する側の軸受部６の周縁に、オイルダンパー１３の制動ギア１３ａと咬合するギア部１８を形成し、且つ、当該軸受部６寄りに、ボックス本体１の後面に衝突してリッド２の開位置を規制するストッパー突起１９を設ける構成となしている。
【００２６】
次に、トレイ３について説明すると、当該トレイ３も合成樹脂の一体成形品で、ボックス本体１よりも一回り小さめな平断面矩形状を呈し、その底面にカップの底部を載置する凹部２０を形成して、後部側に設けられた軸受部２１を上記シャフト７に同軸で軸支することにより、リッド２と同様に、ボックス本体１に対して回動可能に支承されるものである。
【００２７】
そして、上記軸受部２１の両側に長短の小径筒部２１ａ・２１ｂを連設して、長寸小径筒部２１ａに常時トレイ３と支持部材４とを離間する方向に付勢する捩じりコイルばね２２を装着する一方、前部に浮き出しラッチ１２と弾性ロック爪１６を位置させる切欠部２３を画成して、当該切欠部２３の立上り両側壁に上記弾性ロック爪１６と係脱する一対の係止部２４を設けると共に、該切欠部２３と凹部２０間に上記背当て部１７との干渉を回避する逃げ凹部２５を形成する構成となっている。
【００２８】
尚、図中、２６はトレイ３と支持部材４の離間位置を規制するストッパー突起、２７は後述するストッパーアーム３４の下端部との当接を回避する窪み面、２８は上記したボックス本体１の液体回収室１０に零れたドリンクを流し入れる回収口である。
【００２９】
最後に、支持部材４について説明すると、当該支持部材４は、径の異なるカップに対応できる機能を有するもので、図２にも示す如く、横Ｕ字状を呈する基体部２９と、該基体部２９の両端部に連結される一対の腕部３０と、該一対の腕部３０間に連結される揺動片部３１とから成り、これら基体部２９と腕部３０と揺動片部３１も、合成樹脂の一体成形品である。
【００３０】
そして、横Ｕ字状を呈する基体部２９は、後部の下面両側に対の軸受部３２を設けて、該各軸受部３２の軸孔にトレイ３の軸受部２１に設けられている長短の小径筒部２１ａ・２１ｂを嵌入する状態を得て、先の長尺なシャフト７に同軸で軸支することにより、やはり、ボックス本体１に対して回動可能に支承されると共に、その両端部２９ａを平板状となして、該各平板状端部２９ａに軸部３３を突設し、且つ、各中間部の内側に細長い腕状を呈する一対のストッパーアーム３４を回動可能にネジ止めして、当該各ネジ３５にストッパーアーム３４を常時基体部２９に対してトレイ３面と直交する起立方向へ付勢する捩じりコイルばね３６を装着する構成となっている。尚、図中、３７は当該各ストッパーアーム３４の起立姿勢を規制する突起で、正確には、ストッパーアーム３４の回動をトレイ３面に対して直交する位置を若干越えた角度で停止させるものである。
【００３１】
又、一対の腕部３０は、いずれも、内周縁が円弧状を呈する略三角形状を呈し、その基端部３０ａ側を垂直方向に延びる二叉形状となして、当該二叉形状を画成する内外側壁に上記基体部２９の軸部３３を嵌入する軸孔３８を形成すると共に、外側壁の端面に基体部２９のフランジ２９ｂ下面に当接するストッパー突起３９を突設し、且つ、下面側に対の関係にある軸受部４０を夫々設ける構成となっている。
【００３２】
揺動片部３１は、両側部３１ａを巾広となし、中央部３１ｂを外周切欠部３１ｃを有する巾狭となして、当該両側部３１ａと中央部３１ｂの上記背当て部１７と対向する内周縁を湾曲させ、巾広両側部３１ａの外周側に上記各腕部３０の対の関係にある軸受部４０に嵌入される長短の軸部４１ａ・４１ｂを夫々形成して、各長寸軸部４１ａに揺動片部３１を常時一対の腕部３０の下面に重合する方向へ付勢する捩じりコイルばね４２を装着する構成となっている。又、上記中央部３１ｂについては、カップの出し入れを至便とするために、その上面側を下方に湾曲させるものとする。尚、上記切欠部３１ｃは、リッド３がボックス本体１にロックされている時や、トレイ３がリッド２にロックされている時に、各ロック手段たる爪片１５や弾性ロック爪１６を位置させるものである。
【００３３】
従って、基体部２９の平板状端部２９ａと各腕部３０の垂直二叉状基端部３０ａとを、上記軸部３３と軸孔３８を介して連結し、各腕部３０と揺動片部３１とを、対の関係にある軸受部４０と軸部４１ａ・４１ｂを介して連結すると、支持部材４が簡単に組み立てられることとなるが、斯る組立状態にあっては、基体部２９と各腕部３０とは、自由状態の下で上下方向へ回動可能に連結され、各腕部３０と揺動片部３１とは、揺動片部３１が捩じりコイルばね４２のばね圧で腕部３０の下面に重合した状態の下で揺動可能に連結されることとなる。
【００３４】
依って、斯る構成の小物入れ兼用のカップホルダーにあっては、ボックス本体１をインストルメントパネルやセンターコンソールボックス等に画成されている空所（図示せず）内に横型に固設することにより、その使用に供せられるものであるが、ボックス本体１を小物入れとして使用する場合には、上記した係止部２４に対する弾性ロック爪１６の係止状態を得て、トレイ３と支持部材４とをリッド２側で並行する収納位置にロックしておき、リッド２をその捩じりコイルばね１４のばね圧に抗して閉方向に回動して、リッド２側の爪片１５をボックス本体１側の浮き出しラッチ１２に係止すれば、図３に示す如く、ボックス本体１の小物収納室９の底面とトレイ３の下面間に画成される空間内にコイン等の小物を確実に入れておくことが可能となる。
【００３５】
逆に、この閉塞状態にあるリッド２を下方へ若干押圧して、爪片１５の浮き出しラッチ１２に対する係止を解くと、図４に示す如く、オイルダンパー１３の制動作用で、リッド２がトレイ３及び支持部材４と一緒に開方向へ緩やかに回動して、ボックス本体１の開放口を開放するので、これにより、ボックス本体１の小物収納室９からの小物の出し入れが可能となる。又、この時は、ボックス本体１の内側面に形成されている段部１１が、小物の最大収納量の目安として利用できる。
尚、トレイ３がリッド２側にロックされている時には、図示する如く、支持部材４の基体部２９と各腕部３０とが伸長して、トレイ３とリッド２の間に完全に収納されるので、支持部材４自体の存在が邪魔となることはない。
【００３６】
次に、カップホルダーとして使用する場合には、図４に示す状態の下で、弾性ロック爪１６の係止部２４に対する係止を解除すると、今度は、図５・図６に示す如く、トレイ３が、自動的にリッド２から離れて、ボックス本体１の上部内側の段部１１に受けとめられると同時に、支持部材４自体も、捩じりコイルばね２２のばね圧で、トレイ３から離間しながら、トレイ３のストッパー突起２６がその基体部２９の下面に当接する位置まで回動して、斜め上方に跳ね上がった状態に展開される。
【００３７】
尚、斯る支持部材４の展開状態にあっては、図示する如く、捩じりコイルばね３６のばね圧と突起３７の規制を受けて、一対のストッパーアーム３４が、トレイ３面と直交する位置Ｐから若干越えた角度θ位置で起立すると同時に、一対の腕部３０が、先に説明したストッパー突起３９がフランジ２９ｂの下面に当接するまで、揺動片部３１を重合したまま基体部２９の両端部からトレイ３面と平行する姿勢に回動する。
又、この時点では、捩じりコイルばね２２の付勢力とトレイ３の後部両側に設けられている窪み面２７の存在によって、各ストッパーアーム３４の下端部とトレイ３面間には空隙Δが積極的に画成され、且つ、各ストッパーアーム３４に設けられた延長上端部３４ａがリッド２側に大きく突出する。
【００３８】
そこで、今仮に、小径なカップＣ１を支持する場合には、そのまま、図６に示す如く、小径なカップＣ１を展開状態にある支持部材４と背当て部１７とで画成される空間内に差し入れれば、当該カップＣ１の底部がトレイ３の凹部２０内に載置されると同時に、カップＣ１の側面は、腕部３０に対して重合状態にある揺動片部３１の円弧状内周縁とリッド２の背当て部１７間で安定した状態をもって支持される。
【００３９】
逆に、大径なカップＣ２を支持する場合には、当該カップＣ２を上記空間内に差し入れると、今度は、図７に示す如く、カップＣ２の底部が重合して水平姿勢にある揺動片部３１に衝突して、該揺動片部３１をその捩じりコイルばね４２のばね圧に抗して下方に揺動させながら、背当て部１７との距離を拡大して通過するので、結果的には、小径なカップＣ１と同様に、大径なカップＣ２の底部もトレイ３の凹部２０内に載置される。
【００４０】
尚、カップＣ２の底部で揺動片部３１を下方に強制的に揺動させる場合には、揺動片部３１の中央部３１ｂの上面が下方へ湾曲している関係で、例え、カップＣ２の底部縁に波形の凹凸形状が付与されているような時でも、カップＣ２の凹凸底部縁は両側部３１ａには接触するが、中央部３１ｂには接触しないし、且つ、揺動の進行に応じて、逆に、中央部３１ｂは外方に回転しながら逃げていくこととなるので、カップＣ２の凹凸底部縁が揺動片部３１の内周縁側にひっかかる心配がない。従って、常に、カップＣ２の円滑な差し込みと揺動片部３１の確実な揺動が保障できると共に、揺動片部３１の回転範囲を小さくして、その軸部４１ａ・４１ｂの摩耗も抑えられることとなる。
【００４１】
又、支持されたカップＣ２をトレイ３の凹部２０から取り出す場合にも、図８に示す如く、両側部３１ａはカップＣ２の側面に接触しているとしても、中央部３１ｂは外方へ逃げて接触を避けているので、やはり、カップＣ２の凹凸底部縁が揺動片部３１の内周縁にひっかかて、取り出しに支障を来す心配もない。このことから、本実施の形態の下では、揺動片部３１の中央部３１ｂは、図示する如く、カップＣ２の径よりも小さな曲率をもって下方に大きく湾曲するように設定されている。
【００４２】
その上、揺動片部３１がカップＣ２の径に応じて下方に揺動した状態の下では、図示する如く、水平姿勢に回動していた一対の腕部３０が、捩じりコイルばね４２の反力を得て、傾斜する基体部２９から連続して伸長する姿勢に回動して、当該各腕部３０の内周縁も高位置においてカップＣ２の支持に関与するので、大径なカップＣ２の側面は、リッド２側の背当て部１７と下方に揺動した揺動片部３１に加えて、当該一対の腕部３０によっても安定して支持されることとなる。
【００４３】
又、これは、大小のカップＣ１・Ｃ２に対して言えることであるが、揺動片部３１と背当て部１７とは、カップＣ１・Ｃ２の側面を高位置で支持できるが、当該揺動片部３１と背当て部１７との逆方向の中間においては、支持部材４が斜め上方へ跳ね上がった状態に展開されている関係で、カップＣ１・Ｃ２の支持が最も手薄となる。しかし、本実施の形態にあっては、当該中間において、一対のストッパーアーム３４を、基体部２９の内側に上記差し込み空間と面する状態をもって軸支して、各ストッパーアーム３４の延長上端部３４ａをカップＣ１・Ｃ２の支持にも積極的に関与させる構成を採用しているので、この点からも、カップＣ１・Ｃ２の安定した支持状態が一層確実に保障できる。
【００４４】
他方、大径なカップＣ２の差し込み時や、カップＣ１・Ｃ２の支持中に、展開位置に保持されている支持部材４に不測の外力が加わり、支持部材４自体がトレイ３側に倒れ込もうとしても、今度は、既述した一対のストッパーアーム３４の下端部がトレイ３面に即座に当接して、支持部材４の倒れ込みを効果的に防止する。しかも、一対のストパーアーム３４は、突起３７の規制作用で、トレイ３面と直交する位置Ｐから若干越えた角度θ位置で起立しているので、例え、上記の外力が大きな場合でも、各ストッパーアーム３４が誤って折り畳まれることがない。従って、これにより、支持部材４の倒れ込みをより一層確実に防止できることとなる。
【００４５】
尚、カップホルダーとしての使用中に、トレイ３上にドリンクが零れたり、水滴が溜ったような場合には、トレイ３の前部側を若干持ち上げれば、零れたドリンクや水滴を既述した回収口２８から隔壁８で仕切られたボックス本体１の回収室１０内に流し入れることが可能となるので、零れたドリンクや水滴がボックス本体１の小物収納室９側に流れ込むことを防止できる。
【００４６】
逆に、カップホルダーとしての使用状態から、リッド２を閉方向へ回動すると、まず、リッド２の前面が突出する一対のストッパーアーム３４の延長上端部３４ａに当接して、当該各ストッパーアーム３４をその捩じりコイルばね３６のばね圧に抗して徐々にトレイ３面と平行する姿勢に折り畳みながら、続いて、支持部材４を回動させることとなるので、これにより、弾性ロック爪１６が係止部２４に係止すると同時に、爪片１５が浮き出しラッチ１２に係止して、トレイ３が支持部材４と一緒にリッド２側の収納位置にロックされる一方、リッド２がボックス本体１にロックされて、ボックス本体１の開放口を閉塞する。
従って、本実施の形態の下では、上記スムーズな回動を保障するために、ストッパーアーム３４を付勢する捩じりコイルばね３６のばね圧を支持部材４を付勢する捩じりコイルばね２２のばね圧よりも小さく設定して、支持部材４の回動よりも、ストッパーアーム４を先に回動させる構成となっている。
【００４７】
尚、ストッパーアーム３４の回動に際しては、既述した如く、常時は、当該ストッパーアーム３４の下端部とトレイ３面間に空隙Δが画成されている関係で、ストッパーアーム３４がトレイ３面にひっかかることなく、スムーズな折り畳み方向への回動が保障できると共に、これにより、支持部材４のトレイ３側への回動も即座に許容できる。
【００４８】
次に、第二実施の形態に係るカップホルダーを説明すると、当該第二実施の形態のものは、第一実施の形態のものとは異なり、専用のカップホルダーとして開発されたものであるが、その設置に関しては、第一実施の形態の場合と同様に、インストルメントパネルやセンターコンソールボックス等に対して横型に設置される形式となっている。尚、図面上では、センターコンソールボックス４５に対して横型に設置した状態を示している。
【００４９】
従って、第二実施の形態にあっては、図９に示す如く、第一実施の形態のようなボックス本体１は存在しないので、リッド２と支持部材４とトレイ３のみを、各自の軸受部６・２１・３２同士を長尺なシャフト７で軸支することにより、三者２・３・４が同軸で回動可能に連結されることとなるが、これに伴い、今度は、リッド２の爪片１５を係脱する浮き出しラッチ１２をトレイ３側に設けることとなる。尚、第二実施の形態の下では、ボックス本体１を省略した関係で、ボックス本体１とリッド２の開閉を掌る関連機構は一切設けられていないことは言うまでもないが、その他の点については、基本的には、第一実施の形態をそのまま踏襲することとなるので、詳しい説明は省略する。
【００５０】
依って、斯る構成の専用カップホルダーにあっては、トレイ３自体をセンターコンソールボックス４５に画成されている空所（図示せず）内に横型に固設することにより、その使用に供せられることとなるが、カップホルダーとして使用する場合には、図示する如く、トレイ３側にロックされているリッド２を下方へ若干押圧して、爪片１５の浮き出しラッチ１２に対する係止を解除すると、捩じりコイルばねのばね圧で、リッド２が開方向へ回動すると同時に、支持部材４自体も斜め上方へ跳ね上がった状態に展開される。
【００５１】
又、この支持部材４の展開状態にあっては、第一実施の形態と同様に、捩じりコイルばね３６のばね圧と突起３７の規制を受けて、一対のストッパーアーム３４がトレイ３面と直交する位置を若干越えた角度位置で起立すると同時に、一対の腕部３０が、ストッパー突起３９がフランジ２９ｂの下面に当接するまで、揺動片部３１を重合したまま基体部２９の両端部からトレイ３面と平行する姿勢に回動する。
【００５２】
そこで、小径なカップ（図示せず）を支持する場合には、やはり、小径なカップを展開状態にある支持部材４と背当て部１７とで画成される空間内に差し入れれば、当該カップの底部がトレイ３の凹部２０内に載置されると同時に、カップの側面は、腕部３０に対して重合状態にある揺動片部３１の円弧状内周縁とリッド２の背当て部１７と各ストッパーアーム３４の延長上端部３４ａ間で安定した状態をもって支持される。
【００５３】
逆に、大径なカップ（図示せず）を支持する場合には、当該カップを上記空間内に差し入れて、カップの底部で揺動片部３１をその捩じりコイルばね４２のばね圧に抗して下方に揺動させながら通過させれば、大径なカップの底部もトレイ３の凹部２０内に載置されると同時に、水平姿勢に回動していた一対の腕部３０が、捩じりコイルばね４２の反力を得て、傾斜する基体部２９から連続して伸長する姿勢に回動して、当該各腕部３０の内周縁も高位置においてカップの支持に関与するので、大径なカップの側面は、背当て部１７と揺動片部３１とストッパーアーム３４の延長上端部３４ａに加えて、当該一対の腕部３０によっても支持されることとなる。
【００５４】
又、第二実施の形態の下でも、一対のストッパーアーム３４の下端部がトレイ３面に当接することにより、支持部材４のトレイ３側への倒れ込みを効果的に防止できることは言うまでもない。
【００５５】
逆に、カップホルダーとしての使用状態から、リッド２を閉方向へ回動すると、具体的には図示しないが、まず、リッド２の前面が突出する一対のストッパーアーム３４の延長上端部３４ａに当接して、当該各ストッパーアーム３４をその捩じりコイルばね３６のばね圧に抗して徐々にトレイ３面と平行する姿勢に折り畳みながら、続いて、支持部材４を回動させて、爪片１５の浮き出しラッチ１２に対する係止で、リッド２が支持部材４と一緒にトレイ３側の並行する収納位置にロックされるので、不使用状態のカップホルダーの存在が邪魔となることはない。
【００５６】
続いて、第三実施の形態に係るカップホルダーを説明すると、当該第三実施の形態のものも、専用カップホルダーとして開発されたものであるが、第二実施の形態と異なるところは、インストルメントパネルやドアトリム等に対して縦型に設置される形式となっている。尚、図面上では、ドアトリム４６に対して縦型に設置した状態を示している。
【００５７】
この為、第三実施の形態にあっては、第二実施の形態とは逆に、図１０に示す如く、リッド２側に浮き出しラッチ１２を設け、トレイ３側に爪片１５を設ける構成となっている。尚、第三実施の形態の下でも、ボックス本体１を省略した関係で、ボックス本体１とリッド２の開閉を掌る関連機構は一切設けられていないが、その他の点については、第一実施の形態をそのまま踏襲している。
【００５８】
依って、斯る構成の専用カップホルダーにあっては、今度は、リッド２自体をドアトリム４６に画成されている空所（図示せず）内に縦型に固設することにより、その使用に供せられることとなるが、カップホルダーとして使用する場合には、図示する如く、リッド２側にロックされているトレイ３を若干押圧して、爪片１５の浮き出しラッチ１２に対する係止を解除すると、捩じりコイルばねのばね圧で、トレイ３が開方向へ回動すると同時に、支持部材４自体も斜め上方へ跳ね上がった状態に展開される。
【００５９】
従って、後は、第一・第二実施の形態と同様に、カップ（図示せず）を上方から展開状態にある支持部材４と背当て部１７間に画成される空間内に差し入れれば、その径の大小に拘らず、安定に支持することが可能となると共に、一対のストッパーアーム３４の下端部がトレイ３面に当接することにより、支持部材４のトレイ３側への倒れ込みを効果的に防止できる。
【００６０】
逆に、カップホルダーとしての使用状態から、トレイ３を閉方向へ回動すると、やはり、リッド２の前面が突出する一対のストッパーアーム３４の延長上端部３４ａに当接して、当該各ストッパーアーム３４をその捩じりコイルばね３６のばね圧に抗して徐々にトレイ３面と平行する姿勢に折り畳みながら、トレイ３が支持部材４と一緒に回動して、リッド２側の収納位置にロックされるので、同様に、不使用状態のカップホルダーの存在が邪魔となることはない。
【００６１】
最後に、第四実施の形態に係るカップホルダーを説明すると、当該第四実施の形態のものは、特に、小径なカップＣ１のより確実な支持を得ることに主眼をおいて開発されたものであるから、基本的には、上記したいずれの実施の形態のものにも応用できるものではあるが、ここでは、便宜上、第一実施の形態に係る小物入れ兼用のカップホルダーに応用した場合を説明する。
【００６２】
第一実施の形態の下で、小径なカップＣ１を支持する場合には、図６に示した如く、支持部材４の腕部３０の下面に重合している揺動片部３１とリッド２の背当て部１７間で支持する訳であるが、この時に、支持される小径なカップＣ１がロングサイズであると、急ブレーキ時等に生じる前方への慣性力で、当該小径なロングサイズのカップＣ１が揺動片部３１側に倒れ込んでしまう。そして、この倒れ込みが大きいと、水平状態にある揺動片部３１が、カップＣ１の倒れ込み力で、捩じりコイルばね４２のばね圧に抗して無理矢理下方に押し下げられて、カップＣ１を前方へ倒してしまう恐れが考えられる。
【００６３】
そこで、第四実施の形態にあっては、図１１に示す如く、支持部材４の腕部３０をその内周縁が直角に抉られたＬ字形状となす一方、当該各腕部３０間に揺動可能に連結される揺動片部３１の巾広両側部３１ａに凹溝４３を形成して、各腕部３０と揺動片部３１とを捩じりコイルばね４２を介在させて連結する場合には、第一実施の形態ように、揺動片部３１を腕部３０の下面には重合させずに、腕部３０のＬ字形状を利用して、その凹溝４３に腕部３０の内周縁が当接するまで、揺動片部３１を上記捩じりコイルばね４２のばね圧で腕部３０から水平レベルで約３０°前後斜め上方に跳ね上げた状態に保持する構成となすと共に、リッド２の背当て部１７の下面に対のリブ壁４４を連設して、当該各リブ壁４４でもカップＣ１を支持できる構成を併せて採用している。
【００６４】
依って、第四実施の形態の下でも、カップホルダーとして使用する場合には、先に説明した如く、弾性ロック爪１６の係止部２４に対する係止を解除すると、図１２に示す如く、トレイ３が、自動的にリッド２から離れて、ボックス本体１の上部内側の段部１１に受けとめられると同時に、支持部材４自体も、捩じりコイルばね２２のばね圧で、トレイ３から離間しながら、斜め上方に跳ね上がった状態に展開されて、一対の腕部３０が基体部２９の両端部からトレイ３面と平行する姿勢に回動することとなるが、揺動片部３１自体は、図示する如く、凹溝４３に腕部３０の内周縁が当接するまで、腕部３０から約３０°前後斜め上方に跳ね上がった状態に保持される。
【００６５】
従って、小径なロングサイズのカップＣ１を支持する場合には、第一実施の形態と同様に、当該カップＣ１を展開状態にある支持部材４と背当て部１７とで画成される空間内に差し入れれば、カップＣ１の底部がトレイ３の凹部２０内に載置されることとなるが、第四実施の形態にあっては、カップＣ１の側面は、その高位置において、腕部３０から約３０°前後跳ね上がった揺動片部３１の円弧状内周縁とリッド２の背当て部１７間で支持されることとなる。
【００６６】
この為、斯る支持状態において、急ブレーキ時等に生じる前方への慣性力で、小径なロングサイズのカップＣ１が揺動片部３１側に倒れ込もうとしても、第四実施の形態にあっては、揺動片部３１ができるだけカップＣ１の高位置を支え、且つ、カップＣ１の倒れ込み力は、揺動片部３１を逆に上方に押し上げる力として作用して、揺動片部３１が下方へ押し下げられることを完全に阻止するので、これにより、ロングサイズのカップＣ１の前倒れを確実に防止できると共に、この時には、背当て部１７の下面に設けられたリブ壁４４が当該カップＣ１の下部面に当接することとなるので、リブ壁４４の存在によっても、カップＣ１の前倒れをより効果的に防止できることとなる。
【００６７】
尚、第四実施の形態にあっても、大径なカップＣ２を支持する場合には、具体的には図示しないが、第一実施の形態と同様に、カップＣ２の底部で腕部３０から約３０°前後跳ね上がっている揺動片部３１を下方に揺動させながら、背当て部１７との距離を拡大して通過させれば、大径なカップＣ２の底部をトレイ３の凹部２０内に載置できるので、揺動片部３１の跳ね上がりが大径なカップＣ２の支持に支障を来すことは決してないし、且つ、トレイ３と支持部材４をリッド２側で並行する収納位置にロックする場合でも、揺動片部３１はリッド２の前面に当接して、トレイ３面と平行する姿勢に折り畳まれるので、この点でも、何ら支障を来す心配がない。
【００６８】
【発明の効果】
以上の如く、本発明は、上記構成の採用により、請求項１の下では、支持部材が展開位置に保持された時には、ストッパーアームがその付勢手段の付勢力でトレイに対して直交する姿勢に起立して、支持部材のトレイ側への倒れ込みを有効に防止するので、常に、カップの安定した支持が保障できると共に、ストッパーアームの自動的な折り畳みが保障できる。請求項２の下では、腕部と揺動片部の回動作用で、径の異なるカップをも安定して支持することが可能となる。請求項３の下では、特に、小径なロングサイズのカップを支持する時には、その前倒れを有効に防止して、より確実な支持状態を保障できると共に、ロック手段を切欠部に位置させることにより、カップホルダー自体の小型化が期待できる。
【００６９】
請求項４の下では、特に、小径なロングサイズのカップを支持する時には、その前倒れを有効に防止して、より確実な支持状態を保障できると共に、大径なカップを支持したり、当該カップを取り出す時に、カップの底部縁が揺動片部の内周縁側にひっかかることを有効に防止でき、且つ、揺動片部の揺動範囲を小さくして、その連結軸側の摩耗を抑えることができる。請求項５の下では、支持部材が展開位置に保持された時には、ストッパーアームがその付勢手段の付勢力でトレイに対して直交する姿勢に起立して、支持部材のトレイ側への倒れ込みを有効に防止するので、常に、カップの安定した支持が保障できると共に、支持部材の倒れ込みを防止できる上に、ストッパーアームの折り畳みを容易にでき、且つ、支持部材の回動に先だって、ストッパーアームを回動できるので、これによっても、スムーズな操作が保障できる。
【００７０】
請求項６の下では、ロック手段を切欠部に位置させることにより、カップホルダー自体の小型化が期待できる。請求項７の下では、大径なカップを支持したり、当該カップを取り出す時に、カップの底部縁が揺動片部の内周縁側にひっかかることを有効に防止できると共に、揺動片部の揺動範囲を小さくして、その連結軸側の摩耗を抑えることができる。請求項８の下では、支持部材にトレイ側へ倒れ込む大きな外力が加わっても、これに起因して、ストッパーアームが誤って折り畳まれることがないので、支持部材の倒れ込みをより一層確実に防止できる。請求項９の下では、リッドの回動時に、ストッパーアームが先にトレイ側に強く押圧されて、リッドの円滑な回動を阻害する心配がない。
【００７１】
請求項１０の下では、第３支持部の存在によって、第１・第２支持部の中間でもカップを高位置で支持でき、且つ、当該第３支持部をカップ差し込み空間の周縁に沿わせながらリッドによってスムーズに折り畳める利点がある。
【図面の簡単な説明】
【図１】本発明の第一実施の形態に係るカップホルダーを分解して示す斜視図である。
【図２】支持部材のみを裏面側から分解して示す斜視図である。
【図３】ボックス本体の開放口をリッドで閉塞した状態を示す側断面図である。
【図４】ボックス本体の開放口を開放した状態を示す側断面図である。
【図５】支持部材を展開した状態を示す平面図である。
【図６】小径なカップを支持した状態を示す側断面図である。
【図７】大径なカップを支持した状態を示す側断面図である。
【図８】大径なカップと揺動片部の中央部の関係を示す要部説明図である。
【図９】第二実施の形態に係るカップホルダーをセンターコンソールボックス側に設置した状態を示す要部斜視図である。
【図１０】第三実施の形態に係るカップホルダーをドアトリム側に設置した状態を示す要部斜視図である。
【図１１】第四実施の形態に係るカップホルダーに供される支持部材とリッドのみを分解して示す斜視図である。
【図１２】小径なカップを支持した状態を示す側断面図である。
【符号の説明】
１      ボックス本体
２      リッド
３      トレイ
４      支持部材
５      軸受部
６      軸受部
７      シャフト
１２    浮き出しラッチ
１４    捩じりコイルばね
１５    爪片
１７    背当て部（第２支持部）
２０    凹部
２１    軸受部
２２    捩じりコイルばね（付勢手段）
２４    係止部
２９    基体部
３０    腕部
３１    揺動片部（第１支持部）
３１ａ  揺動片部の側部
３１ｂ  揺動片部の中央部
３１ｃ  揺動片部の切欠部
３２    軸受部
３４    ストッパーアーム
３４ａ  ストッパーアームの延長上端部（延長部・第３支持部）
３５    ネジ
３６    捩じりコイルばね（付勢手段）
３７    突起（規制手段）
３９    ストッパー突起
４０    軸受部
４２    捩じりコイルばね
４３    凹溝
４４    リブ壁
４５    センターコンソールボックス
４６    ドアトリム
Ｃ１    小径なカップ
Ｃ２    大径なカップ
Ｐ      直交する位置
θ      直交する位置を越えた角度
Δ      空隙
【図１】
0003594470.tif 000002
【図２】
0003594470.tif 000003
【図３】
0003594470.tif 000004
【図４】
0003594470.tif 000005
【図５】
0003594470.tif 000006
【図６】
0003594470.tif 000007
【図７】
0003594470.tif 000008
【図８】
0003594470.tif 000009
【図９】
0003594470.tif 000010
【図１０】
0003594470.tif 000011
【図１１】
0003594470.tif 000012
【図１２】
0003594470.tif 000013